(57)【要約】【課題】  健康維持と健康増進の方法には、現在民間療法が沢山ある。鍼灸は鍼を体表面に刺すため危険を伴い、資格のある治療院でしか治療を受けられず、一般の人が誰でも鍼灸の施術を出来ない。また治療院の予約や、治療院へ出向く必要があり、施術が容易ではない問題がある。整体は施術効果が不十分であった。【解決手段】  ９０％以上の銀を含有する金属で、先端が略球面状か又は錐体状の形状であり、この銀の表面に金メッキを施した健康器具を発明し、これを体表面に押し当てる施療。【選択図】図１
0003138031.tif 000002
【実用新案登録請求の範囲】
【請求項１】
９０ｗｔ％以上の銀を含有する金属で、その形状が円柱か多角柱で、その先端が凸の略球面状か又は凸の錐体（円錐又はか多角）状か又平面である健康器具。
【請求項２】
９０ｗｔ％以上の銀を含有する金属で、球体か楕円体（卵型を含む）か板状に、凸の錐体（円錐又は多角錘）状か略球面状が付いている健康器具。
【請求項３】
９０ｗ％以上の銀を含有する金属で、板状の表面に、凸の錐体かの形状か略球面状を複数付けた健康器具。」
【請求項４】
９０ｗ％以上の銀を含有する金属で、その形状が円柱か多角柱か球体か楕円体（卵型を含む）か板状の健康器具。
【請求項５】
請求項１及び  請求項２及び  請求項３及び請求項４の金属の表面に金メッキを施した健康器具。
【請求項６】
請求項１及び  請求項２及び  請求項３及び  請求項４及び請求項５を体表面に押し当て施療。
【考案の詳細な説明】
【技術分野】
【０００１】  請求項１及び請求項２及び請求項３及び請求項４及び請求項５で体表面を刺激することで簡にできる健康維持と健康増進のため器具。
請求項１及び請求項２にメッキを施した健康器具は、鍼灸と違って、鍼を体に刺さなくても、灸をしなくても、体表面を刺激することで、鍼灸と同等以上の効果を得られるため、安全かつ誰にでも簡単にできる健康維持と健康増進のための器具。機能改善にも用いることができる。
【背景技術】
【０００２】  以前整体師をしておりました、慢性腰痛、坐骨神経痛、膝痛、捻挫など改善できないことが多々あり、電気治療器を併用しても不満足であった。
【考案の開示】
【考案が解決しようとする課題】
【０００３】  「従来技術と問題点」
健康維持と健康増進の方法には、現在では、鍼灸や整体などがある。
鍼灸は鍼を体表面に刺すため危険を伴い、資格のある治療院でしか治療を受けられない。このため、一般の人が誰でも鍼灸の施術を出来るわけではない。
一方、整体については整体師での施術経験から、慢性腰痛、坐骨神経痛、膝痛、捻挫など改善できないことが多々あり、電気治療器を併用しても施術の効果が不満足であった、従来の施療技術では筋肉や靭帯を柔らかくするのは困難であった、又、血行不良や浮腫や捻挫や痺れ麻痺など改善ができない。尚、刺激療法は体のどの部位を刺激しても安全で失敗することはなく、副作用もないので、誰でも、何時でも使用することができる。
【課題を解決するための手段】
【０００４】  ９０ｗｔ％以上の銀を含有する金属及び、この銀の表面に金メッキを施した健康器具及び先端が略球面状か又は錐体状の形状の健康器具を考案し、この健康器具を体表面に押し当てる施療法を考案した。
【考案の効果】
【０００５】  従来技術では改善出来なかった筋肉や靭帯を柔らかくすることや、血行不良や浮腫や痺れ麻痺など速く改善ができるようになり、肩こり、腰痛、捻挫、膝通、五十肩、ムチウチの後遺症、頭痛、眩暈などが刺激療法を使用してからは１回から数回の施療で改善しました。
誰でも出来るので施療に費用を要せず、自宅や通勤中や出張先や旅行先などで施療することができる。
【考案を実施するための最良の形態】
【０００６】  本考案の健康器具の一例を以下に示す。
銀の含有が９０ｗｔ％以上の銀材料を用いて、図１の形状にして、銀の表面に金メッキを施した。
本考案の健康器具の実施例を以下に示す。
【実施例】
【０００７】  ９０ｗｔ％以上の銀を含有する金属で、先端が略球面状であり、この銀の表面に金メッキを施した健康器具を体表面に押し当てる施療法を行った事例を以下に示す。
女性、５３歳、無職  五十嵐
症例  夜間歩行中に工事用の鉄板に足が当たり、打撲と足首のねんざで整形外科に通院して一週、足首が当て木をしてホウタイで固定してあった、松葉杖を使用しないと歩行できない状態、打撲部分は黒く足首全般がはれて炎症をおこしていた。
処置  足首を中心に炎症している部分を回の施療及び最後に足首回り施療。
結果  ４０分の施療で立って、違和感がなく歩行ができるので、松葉杖は持って歩いて帰りました。
女性  ４１歳、
症例  足首の捻挫で歩行時痛むので整骨院へ２ケ月通院しが、治らない。
処置  全身施療と足首を施療、１週間後再度施療。
結果  足首の痛み改善。
男性  ３２歳、
症例  介護の仕事をしています、他院では慢性腰痛だから一生、旨く付き合うことしかないと言われました。
処置  全身施療と腰施療、１週間後再度施療
結果  腰痛改善。
女性  ３８歳
症例  腰痛で整骨院へ１週間通院したが、治らず歩行困難な状態。
処置  全身施療と腰施療
結果  初回の施療から腰痛に顕著な改善があり、歩行するにも痛みが無くなり、颯爽と歩いて帰りました。３日後、ママさんバレーの試合に出場すると言う事で、念の為もう一度施療。
男性  ７３歳
症例  ５ケ月前から腰痛で近くの病院へ通院され、他にも定期的なマッサージ治療を受けていましたが、腰痛が改善せず歩行も困難な状態。
処置  全身施療と腰施療
結果  初回の施療で、痛みに改善があり、歩行状態も改善。その後２回の施療で残っていた違和感も改善。
男性  ５０歳
症例  １年半前にヒジが痺れることから、近所の整形外科に通院しておりましたが、症状が進行し、上肢・下肢の痺れと左下腿部に痛みも出てきました。このため他の整形外科や鍼灸院にも通院していましたが、症状が益々悪化し右手で箸も持てなくなりました。そこで今度は別の整形外科でＭＲＩ検査を受けた結果、頚椎及び腰椎椎間板ヘルニアと診断され、２回の入院で神経ブロック注射と牽引を行いました。しかし、症状は思わしくなく、手術を勧められ、怖さも有って３回目の入院前。
処置  全身施療と首及び腰施療、最初は１週間毎に７回の施療
結果  痛みは徐々に改善されて体全体が動くようになると共に、朝  起きる時も大分楽になり、痺れも少し改善されました。その後８回の施療で、右手親指の先と左足の親指の先の裏側に痺れが残っているものの一応改善。
男性  ６０歳
症例  ５年前から慢性腰痛で近所の病院に通院しましたが悪化するばかりでした。一時は民間療法に変更するも、良くなり掛けたましたが再度悪化し、掛かり付けの内科医にて、痛み止めのブロック注射で耐えて３ケ月後、腰は、曲がり右足は伸びず歩行も困難となり、殆んど動けない状態。
処置  全身施療を最初は３日毎に連続８回の集中施療。
結果  体幹前屈が改善され、糖尿病の為冷たく紫色になっていた腕の肘から手の指先までと、膝から足の指先までの皮膚が正常な色になり、痛みも軽減して上を向いて寝られるまでに改善しました。その後７日毎に３回、１０日毎に３回の施療でほぼ改善。
女性  ３９歳、
症状  背中が痛く仰向けに寝られなくて、息苦しい状態で、大学病院で薬でも治らず手術しかないといわれました。
処置  全身施療と背中、肩、腕を施療
結果  痛み改善。仰向けにも寝られるし、呼吸も楽になりました。
男性  ３２歳、
症例  ２ケ月前からゴルフのクラブが、背中が痛くて振れないので、整形外科や整骨院へ通院するも治らず。
施術  全身施療と首、肩、腕の施療、再度施療。
結果  素振りをしても痛くなくなる。
男性  ２８歳、
症例  ムチウチの後遺症と思われる頭痛、首と背中のいたみ、肩こり、腰痛で、病院、カイロ、鍼灸、マッサージでも治らない。
処置  全身施療と首、肩、腕、腰、を３回施療
結果  肩こり、首、背中、腰の痛み改善。
女性  ２３歳
症例  毎日パソコンの仕事で目の疲れや肩こりがひどく病院や鍼灸やマッサージなどでは治らないので
処置  全身施療
結果  １回で嘘のように改善。
男性  ４７歳
症例  五十肩で肩から首にかけて痛くて眠れなかった状態でなんとか治してほしい。
処置  全身施療とう腕、肩、首を施療
結果  １回の施療で手も挙がるようになり痛みもなくなり翌日より仕事が出来るようになりました。」
男性  ５０歳
症例  五十肩で病院及び鍼灸及び整体など３ケ月いろいろと治療を受けても、時がこないと治らないと言われていた。
処置  全身施療と肩施療一週間毎に２回
結果  少し改善、その後一週間毎に３回の施療で改善。
女性  ５６歳
症例  ３年前から左手の甲から薬指と小指にかけて痺れるので、頭と首のＲＭＩ検査では異常が無く、整形外科では治らず、鍼灸やマッサージやカイロや整体などいろいろ試みたが治らなかった。
処置  全身施療と左手の甲から薬指と小指付近を施療
結果  左手の甲から薬指と小指付近を１０分ほどの施療で改善できた
男性  ６１歳
症例  ６ケ月前に脳梗塞で左手指が変形し思うように動かない状態でリハビリ中。
施術  全身施療と肩、腕、手にかけて施療５回
結果  変形も無くなり、力が、はいるようになりチャクを親指と人差し指で上げ下げできるよう改善、ほぼ不自由なく動かせるようになる。
女性  ５３歳、
症例  １年以上眩暈が治らなので、内科や耳鼻科や脳外科を受診したが、原因が解らず最後は自律神経失調症ではないかと診断された。又、以前より首が左に廻せないし、肩が痛むので整形外科でレントゲン及びＲＭＩ検査で後従靭帯骨化症が見つかったが眩暈とは関係ないと判断され骨化症の症状はまだ出てないと診断された。
処置  全身施療と頚椎付近の筋肉を柔くし、眩暈の施療。
結果  １週間毎に３回の施療で眩暈の症状改善、その後１週間毎に２回の施療で首は正常に動かせる様になる。
男性  ６１歳、シャクリが３０年前より時々あり、最近３年前より連続して止まらない状態で大学病院では治らないと言われた。
施術  全身施療とシャクリの施療。
結果  １回の施療で改善。
【産業上の利用可能性】
【０００８】  この施術は誰でも、何処でも費用をかけずに施術が出来る健康維持、健康増進法である。この施術法を多くの人が使う様になれば、自分で健康管理ができ、医者に行かなくて予防や改善ができるので医療費の削減になる。
【図面の簡単な説明】
【０００９】
【図１】  本発明の実施例１の銀棒の形状。
【図１】
0003138031.tif 000003
【図２】
0003138031.tif 000004
【図３】
0003138031.tif 000005
【手続補正書】
【提出日】平成19年9月27日(2007.9.27)
【手続補正１】
【補正対象書類名】実用新案登録請求の範囲
【補正対象項目名】全文
【補正方法】変更
【補正の内容】
【実用新案登録請求の範囲】
【請求項１】
９０ｗｔ％以上の銀を含有する金属で、その形状が円柱か多角柱で、その先端が凸の略球面状か又は凸の錐体（円錐又は多角錐）状か又平面である健康器具。
【請求項２】
９０ｗｔ％以上の銀を含有する金属で、球体か楕円体（卵型を含む）か板状に、凸の錐体（円錐又は多角錘）状か略球面状が付いている健康器具。
【請求項３】
９０ｗ％以上の銀を含有する金属で、板状の表面に、凸の錐体か略球面状体を複数付けた健康器具。
【請求項４】
９０ｗ％以上の銀を含有する金属で、その形状が円柱か多角柱か球体か楕円体（卵型を含む）か板状の健康器具。
【請求項５】
請求項１及び  請求項２及び  請求項３及び請求項４の金属の表面に金メッキを施した健康器具。
【手続補正３】
【補正対象書類名】明細書
【補正対象項目名】０００９
【補正方法】変更
【補正の内容】
【０００９】
【図１】本発明の実施例１の銀棒の形状。
【図２】本発明の実施例１の銀棒以外の形状。
【図３】板の表面に凸の錐体か略球面状体を複数付けたもの。